(57)【要約】【課題】ユーザーがユーザー端末またはセンサー端末を操作して入力するだけで３つ以上設定されたステータスの内容を簡単に変更するステータス管理システムを提供する。【解決手段】ステータス管理システム１００は、ユーザー端末（１１０Ａ）またはセンサー端末（１１０Ｂ、１１０Ｃ）と通信自在なサーバ１２０Ａまたは制御端末（１２０Ｂ）の制御部と、サーバ１２０Ａまたは制御端末（１２０Ｂ）の記憶部とを有し、制御部が、ユーザー端末（１１０Ａ）またはセンサー端末（１１０Ｂ、１１０Ｃ）からの入力に基づいて記憶部にアクセスして所定事項について３つ以上設定されているステータスから選択してステータス内容を変更する構成である。【選択図】図１
2020009239.tif 000002
【特許請求の範囲】
【請求項１】
ユーザー端末またはセンサー端末と通信自在なサーバまたは制御端末の制御部と、サーバまたは制御端末の記憶部とを有したステータス管理システムであって、
前記制御部が、前記ユーザー端末またはセンサー端末からの入力に基づいて記憶部にアクセスして所定事項について３つ以上設定されているステータスから選択してステータス内容を変更する構成であることを特徴とするステータス管理システム。
【請求項２】
前記所定事項が作業タスクについてであり、前記ステータス内容が作業タスクについての作業名、進捗具合の程度または作業場所の箇所に応じて３つ以上設定された構成であることを特徴とする請求項１に記載のステータス管理システム。
【請求項３】
前記所定事項が物品の在庫についてであり、前記ステータス内容が物品の在庫についての在庫あり、在庫なし、および発注中の少なくとも３つ設定された構成であることを特徴とする請求項１に記載のステータス管理システム。
【請求項４】
前記所定事項が機器の管理についてであり、前記ステータス内容が機器の管理についての待機、貸出中、および返却中の少なくとも３つ設定された構成であることを特徴とする請求項１に記載のステータス管理システム。
【請求項５】
前記所定事項が在席の管理についてであり、前記ステータス内容が在席の管理についての在席中、社内で離席中、会議中、食事中、外出中および帰宅のうち少なくとも３つ設定された構成であることを特徴とする請求項１に記載のステータス管理システム。
【請求項６】
前記ユーザー端末、サーバまたは制御端末と別体である表示端末が、前記サーバまたは制御端末と通信自在であり、前記ステータス内容を表示する構成であることを特徴とする請求項１乃至請求項５のいずれか１つに記載のステータス管理システム。
【請求項７】
前記ステータス内容が、前記センサー端末による入力の仕方の違いによって選択される構成であることを特徴とする請求項１乃至請求項６のいずれか１つに記載のステータス管理システム。
【請求項８】
前記センサー端末が、ボタンセンサー端末であり、前記ステータス内容が、ボタンの押し方の違いによって選択される構成であることを特徴とする請求項７に記載のステータス管理システム。
【請求項９】
前記センサー端末が、加速度センサーまたはジャイロセンサーを有して動きを検知する動きセンサー端末であり、前記ステータス内容が、前記動きセンサー端末の向きについての変更前に対する置き方の違いによって選択される構成であることを特徴とする請求項７に記載のステータス管理システム。
【請求項１０】
ユーザー端末またはセンサー端末とサーバまたは制御端末との間で通信自在なステータス管理システムのプログラムであって、
前記ユーザー端末またはセンサー端末からの入力の有無を判定する判定ステップと、
前記ユーザー端末またはセンサー端末からの入力に基づいてサーバまたは制御端末の記憶部にアクセスして所定事項について３つ以上設定されているステータスから選択してステータス内容を変更するステータス変更ステップとをコンピュータに実行させることを特徴とするステータス管理システムのプログラム。
【発明の詳細な説明】
【技術分野】
【０００１】
本発明は、ユーザー端末またはセンサー端末と通信自在なサーバまたは制御端末の制御部と、サーバまたは制御端末の記憶部とを有したステータス管理システム、および、ステータス管理システムのプログラムに関する。
【背景技術】
【０００２】
従来、遊技場における遊技機の部品の交換作業が完了するまでの作業の進捗を管理することを目的に、各種の情報を記憶する情報記憶部と、遊技場の管理端末及び製造業者の管理端末において閲覧可能であり、作業の進捗を表示するステータス確認用ウェブサイトを管理するサイト管理部と、作業の進捗における複数の作業段階の状況を管理するステータス管理部とを備え、ステータス管理部は、作業段階における作業を担当する製造業者の管理端末から送信される作業の進捗を示す作業進捗情報（ステータス情報）と、作業段階ごとに規則によって製造業者に義務付けられている遵守事項（出荷確認、荷姿確認、確認書への記入等）が実行されたことを示す遵守情報と、注文用ウェブサイトを介して発注した部品に付与される識別情報（注文番号）とを関連付けて情報記憶部に記憶し、サイト管理部は、情報記憶部に記憶された情報に基づいて、ステータス確認用ウェブサイトに表示される、識別情報に関連付けられている作業進捗情報及び遵守情報を更新する制御を行う管理サーバが知られている（例えば、特許文献１）。
【先行技術文献】
【特許文献】
【０００３】
【特許文献１】特開２０１８−０００８５３号公報（特に、段落００１０参照）
【発明の概要】
【発明が解決しようとする課題】
【０００４】
しかしながら、上述した従来の管理サーバは、ステータスを管理してステータス確認用ウェブサイトに作業進捗情報を表示する構成であったため、ユーザーが状況に応じてステータスを変更したい場合に対応することが困難であるという問題があった。
【０００５】
そこで、本発明は、前述したような従来技術の問題を解決するものであって、すなわち、本発明の目的は、ユーザーがユーザー端末またはセンサー端末を操作して入力するだけで３つ以上設定されたステータスの内容を簡単に変更するステータス管理システム、および、そのプログラムを提供することである。
【課題を解決するための手段】
【０００６】
本請求項１に係る発明は、ユーザー端末またはセンサー端末と通信自在なサーバまたは制御端末の制御部と、サーバまたは制御端末の記憶部とを有したステータス管理システムであって、前記制御部が、前記ユーザー端末またはセンサー端末からの入力に基づいて記憶部にアクセスして所定事項について３つ以上設定されているステータスから選択してステータス内容を変更する構成であることにより、前述した課題を解決するものである。
【０００７】
本請求項２に係る発明は、請求項１に記載されたステータス管理システムの構成に加えて、前記所定事項が作業タスクについてであり、前記ステータス内容が作業タスクについての作業名、進捗具合の程度または作業場所の箇所に応じて３つ以上設定された構成であることにより、前述した課題をさらに解決するものである。
【０００８】
本請求項３に係る発明は、請求項１に記載されたステータス管理システムの構成に加えて、前記所定事項が物品の在庫についてであり、前記ステータス内容が物品の在庫についての在庫あり、在庫なし、および発注中の少なくとも３つ設定された構成であることにより、前述した課題をさらに解決するものである。
【０００９】
本請求項４に係る発明は、請求項１に記載されたステータス管理システムの構成に加えて、前記所定事項が機器の管理についてであり、前記ステータス内容が機器の管理についての待機、貸出中、および返却中の少なくとも３つ設定された構成であることにより、前述した課題をさらに解決するものである。
【００１０】
本請求項５に係る発明は、請求項１に記載されたステータス管理システムの構成に加えて、前記所定事項が在席の管理についてであり、前記ステータス内容が在席の管理についての在席中、社内で離席中、会議中、食事中、外出中および帰宅のうち少なくとも３つ設定された構成であることにより、前述した課題をさらに解決するものである。
【００１１】
本請求項６に係る発明は、請求項１乃至請求項５のいずれか１つに記載されたステータス管理システムの構成に加えて、前記ユーザー端末、サーバまたは制御端末と別体である表示端末が、前記サーバまたは制御端末と通信自在であり、前記ステータス内容を表示する構成であることにより、前述した課題をさらに解決するものである。
【００１２】
本請求項７に係る発明は、請求項１乃至請求項６のいずれか１つに記載されたステータス管理システムの構成に加えて、前記ステータス内容が、前記センサー端末による入力の仕方の違いによって選択される構成であることにより、前述した課題をさらに解決するものである。
【００１３】
本請求項８に係る発明は、請求項７に記載されたステータス管理システムの構成に加えて、前記センサー端末が、ボタンセンサー端末であり、前記ステータス内容が、ボタンの押し方の違いによって選択される構成であることにより、前述した課題をさらに解決するものである。
【００１４】
本請求項９に係る発明は、請求項７に記載されたステータス管理システムの構成に加えて、前記センサー端末が、加速度センサーまたはジャイロセンサーを有して動きを検知する動きセンサー端末であり、前記ステータス内容が、前記動きセンサー端末の向きについての変更前に対する置き方の違いによって選択される構成であることにより、前述した課題をさらに解決するものである。
【００１５】
本請求項１０に係る発明は、ユーザー端末またはセンサー端末とサーバまたは制御端末との間で通信自在なステータス管理システムのプログラムであって、前記ユーザー端末またはセンサー端末からの入力の有無を判定する判定ステップと、前記ユーザー端末またはセンサー端末からの入力に基づいてサーバまたは制御端末の記憶部にアクセスして所定事項について３つ以上設定されているステータスから選択してステータス内容を変更するステータス変更ステップとをコンピュータに実行させることにより、前述した課題を解決するものである。
【発明の効果】
【００１６】
本発明のステータス管理システムは、ユーザー端末またはセンサー端末と通信自在なサーバまたは制御端末の制御部と、サーバまたは制御端末の記憶部とを有していることにより、ユーザー端末またはセンサー端末と、サーバまたは制御端末との間で通信することができるばかりでなく、以下のような特有の効果を奏することができる。
【００１７】
本請求項１に係る発明のステータス管理システムによれば、ステータス内容が３つ以上設定されてそのうちの１つがユーザーによって選択されてステータス内容が変更されるため、ユーザーがユーザー端末またはセンサー端末を操作して入力するだけで３つ以上設定されたステータスを選択してステータス内容を簡単に変更することができる。
さらに、ユーザーがユーザー端末を用いて制御部と通信することにより所定事項についてのステータス内容がユーザー端末に表示されるため、ユーザーはステータス内容をリアルタイムで簡単に確認することができる。
また、電話、電子メール、チャットアプリで確認する場合と比べて、ステータス内容を簡単に確認することができる。
【００１８】
本請求項２に係る発明のステータス管理システムによれば、請求項１に係る発明が奏する効果に加えて、今何の作業をやっているか、進捗具合の程度、作業場所のいずれかがステータス内容としてユーザー端末に表示されるため、上司や同僚など他のユーザーがステータス内容を確認して作業タスクの進捗具合を簡単に知ることができる。
【００１９】
本請求項３に係る発明のステータス管理システムによれば、請求項１に係る発明が奏する効果に加えて、物品の在庫について今どのような状態かがステータス内容としてユーザー端末に表示されるため、ユーザーは物品の在庫のステータス内容について簡単に知ることができる。
【００２０】
本請求項４に係る発明のステータス管理システムによれば、請求項１に係る発明が奏する効果に加えて、機器の管理について今どのような状態かがステータス内容としてユーザー端末に表示されるため、ユーザーは機器の管理のステータス内容について簡単に知ることができる。
【００２１】
本請求項５に係る発明のステータス管理システムによれば、請求項１に係る発明が奏する効果に加えて、在席の管理について今どのような状態かがステータス内容として他のユーザー端末に表示されるため、上司や同僚など他のユーザーがステータス内容を確認して部下や同僚の状況を簡単に知ることができる。
【００２２】
本請求項６に係る発明のステータス管理システムによれば、請求項１乃至請求項５のいずれか１つに係る発明が奏する効果に加えて、常にステータス内容が表示端末において表示されるため、ユーザーはユーザー端末を用いることなくステータス内容をより簡単に確認することができる。
【００２３】
本請求項７に係る発明のステータス管理システムによれば、請求項１乃至請求項６のいずれか１つに係る発明が奏する効果に加えて、センサー端末による入力の仕方の違いに基づいてステータス内容が選択されるため、ユーザーは簡単にステータス内容を選択することができる。
【００２４】
本請求項８に係る発明のステータス管理システムによれば、請求項７に係る発明が奏する効果に加えて、ボタンの押し方の違いに基づいてステータス内容が選択されるため、ユーザーは１回押し、２回押し、長押しなどの違いによって簡単にステータス内容を選択することができる。
【００２５】
本請求項９に係る発明のステータス管理システムによれば、請求項７に係る発明が奏する効果に加えて、動きセンサー端末の置き方を変更すると変更前後の置き方の違いに基づいてステータス内容が選択されるため、ユーザーは簡単にステータス内容を選択することができる。
【００２６】
本請求項１０に係る発明のステータス管理システムのプログラムによれば、請求項１に係る発明が奏する効果と同様、ステータス内容が３つ以上設定されてそのうちの１つがユーザーによって選択されてステータス内容が変更されるため、ユーザーがユーザー端末またはセンサー端末を操作して入力するだけで３つ以上設定されたステータスを選択してステータス内容を簡単に変更することができる。
さらに、ユーザーがユーザー端末を用いて制御部と通信することにより所定事項についてのステータス内容がユーザー端末に表示されるため、ユーザーはステータス内容をリアルタイムで簡単に確認することができる。
また、電話、電子メール、チャットアプリで確認する場合と比べて、ステータス内容を簡単に確認することができる。
【図面の簡単な説明】
【００２７】
【図１】本発明の第１実施例であるステータス管理システムの上位概念を示す概念図。
【図２】本発明の第１実施例であるステータス管理システムの上位概念の動作を示すチャート図。
【図３】（Ａ）（Ｂ）は３つ以上設定されたステータス内容を表示したユーザー端末を示す図。
【図４】（Ａ）（Ｂ）は記憶部にアクセスしてステータス一覧を表示した他の端末を示す図。
【図５】（Ａ）（Ｂ）は動きセンサー端末の置き方を変更してステータスを変更する際の説明図。
【図６】本発明の第１実施例であるステータス管理システムの下位概念を示す概念図。
【図７】本発明の第２実施例であるステータス管理システムを示す概念図。
【図８】本発明の第３実施例であるステータス管理システムを示す概念図。
【図９】本発明の第４実施例であるステータス管理システムを示す概念図。
【発明を実施するための形態】
【００２８】
本発明のステータス管理システムは、ユーザー端末またはセンサー端末と通信自在なサーバまたは制御端末の制御部と、サーバまたは制御端末の記憶部とを有し、制御部が、ユーザー端末またはセンサー端末からの入力に基づいて記憶部にアクセスして所定事項について３つ以上設定されているステータスから選択してステータス内容を変更する構成であることにより、ユーザーがユーザー端末またはセンサー端末を操作して入力するだけで３つ以上設定されたステータスを選択してステータス内容を簡単に変更することができるものであれば、その具体的な実施態様は、如何なるものであっても構わない。
また、ステータス管理システムのプログラムは、ユーザー端末からの入力の有無を判定する判定ステップと、ユーザー端末からの入力に基づいてサーバの記憶部にアクセスして所定事項について３つ以上設定されているステータスから選択してステータス内容を変更するステータス変更ステップとを具備してコンピュータに実行させることにより、ユーザーがユーザー端末またはセンサー端末を操作して入力するだけで３つ以上設定されたステータスを選択してステータス内容を簡単に変更することができるものであれば、その具体的な実施態様は、如何なるものであっても構わない。
【００２９】
例えば、ユーザー端末は、デスクトップ型パーソナルコンピュータ端末、ノート型パーソナルコンピュータ端末、スマートフォン端末、タブレット端末、所謂ＡＩスピーカである人工知能スピーカ端末、腕時計型端末などの情報を送受信するものであって、所謂インターネットである広域ネットワーク、ローカルネットワーク、電話回線などを含む通信ネットワークと接続自在なものであれば如何なるものであっても構わない。
【実施例１】
【００３０】
以下に、本発明の第１実施例であるステータス管理システム１００およびそのプログラムについて、図１乃至図６に基づいて説明する。
ここで、図１は、本発明の第１実施例であるステータス管理システム１００の上位概念を示す概念図であり、図２は、本発明の第１実施例であるステータス管理システム１００の上位概念の動作を示すチャート図であり、図３（Ａ）は、３つ以上設定されたステータス内容をボタン形式で表示したスマートフォン端末１１０Ａを示す図であり、図３（Ｂ）は、３つ以上設定されたステータス内容をプルダウン形式で表示したスマートフォン端末１１０Ａを示す図であり、図４（Ａ）は、サーバ１２０Ａの記憶部にアクセスしてステータス一覧を表示した他のスマートフォン端末１３０Ａを示す図であり、図４（Ｂ）は、サーバ１２０Ａの記憶部にアクセスしてステータス一覧を表示した液晶パネル端末１３０Ｂを示す図であり、図５（Ａ）は、動きセンサー端末１１０Ｃの置き方を変更してステータスを変更する際の平面図であり、図５（Ｂ）は、図５（Ａ）に示す符号５Ｂから視た図であり、図６は、本発明の第１実施例であるステータス管理システム１００の下位概念を示す概念図である。
【００３１】
本発明の第１実施例であるステータス管理システム１００は、図１に示すように、ユーザー端末の一例であるスマートフォン端末１１０Ａと通信自在なサーバ１２０Ａの制御部と、サーバ１２０Ａの記憶部とを有している。
さらに、制御部が、スマートフォン端末１１０Ａからの入力に基づいて記憶部にアクセスして所定事項について３つ以上設定されているステータスから選択してステータス内容を変更するように構成されている。
【００３２】
これにより、ステータス内容が３つ以上設定されてそのうちの１つがユーザーによって選択されてステータス内容が変更される。
その結果、ユーザーはスマートフォン端末１１０Ａを操作して入力するだけで３つ以上設定されたステータス内容を簡単に変更することができる。
さらに、ユーザーがスマートフォン端末１１０Ａを用いてサーバ１２０Ａの制御部と通信することにより所定事項についてのステータス内容がスマートフォン端末１１０Ａに表示される。
その結果、ユーザーはステータス内容をリアルタイムで簡単に確認することができる。
また、電話、電子メール、チャットアプリで確認する場合と比べて、ステータス内容を簡単に確認することができる。
【００３３】
なお、ユーザー端末およびサーバ１２０Ａに代えて、センサー端末および制御端末を用いてもよい。
具体的には、ステータス管理システム１００が、センサー端末の一例であるボタンセンサー端末１１０Ｂおよび動きセンサー端末１１０Ｃと通信自在な制御端末の一例であるタブレット端末１２０Ｂの制御部と、タブレット端末１２０Ｂの記憶部とを有している。
そして、制御部が、センサー端末からの入力に基づいて記憶部にアクセスして所定事項について３つ以上設定されているステータスから選択してステータス内容を変更する構成でもよい。
つまり、ステータス内容が、センサー端末による入力の仕方の違いによって選択される構成である。
これにより、センサー端末による入力の仕方の違いに基づいてステータス内容が選択される。
その結果、ユーザーは簡単にステータス内容を選択することができる。
【００３４】
ここで、ボタンセンサー端末１１０Ｂは、押しボタンと、タブレット端末１２０Ｂと通信自在な通信手段とを有している。
同様に、動きセンサー端末１１０Ｃは、加速度センサーやジャイロセンサーと、タブレット端末１２０Ｂと通信自在な通信手段とを有している。
ボタンセンサー端末１１０Ｂや動きセンサー端末１１０Ｃとタブレット端末１２０Ｂとを連携させる場合、先ず、タブレット端末１２０Ｂにおいてアプリケーションソフトウェアを起動させ、ボタンセンサー端末１１０Ｂや動きセンサー端末１１０Ｃと、タブレット端末１２０Ｂとを互いに認識させるペアリング操作をする。
【００３５】
次に、アプリケーションソフトウェアを用いてタブレット端末１２０Ｂの表示画面で、センサーのタグやその他のタグを表示させる。
その際、センサーのタグにおいて条件を設定する。
例えば、１回押しの場合、２回押しの場合、長押しの場合などの条件を設定する。
そして、タブレット端末１２０Ｂの表示画面上において、センサーのタグと、ステータスのタグとをそれぞれ接続する。
センサーのタグの条件に合致した場合、その入力に基づき、ステータスが変更されるように構成されている。
【００３６】
続いて、ステータス管理システム１００のプログラムの動作について、スマートフォン端末１１０Ａを用いた例について説明する。
図２に示すように、ステップＳ１では、判定ステップとして、サーバ１２０Ａの制御部が、スマートフォン端末１１０Ａからの入力の有無を判定する。
具体的には、一例として、図３（Ａ）に示すように、６つのステータスの選択ボタンが、スマートフォン端末１１０Ａの表示部に表示されている。
【００３７】
そして、ユーザーが、その１つをタップしたとする。
すると、スマートフォン端末１１０Ａからサーバ１２０Ａへ入力情報が送信され、サーバ１２０Ａがそれを受信する。
受信した情報がステータスについての情報であった場合、入力ありと判定してステップＳ２へ進み、他方、受信していない場合や受信した情報がステータスについての情報でない場合、まだ入力なしと判定してステップＳ１を繰り返す。
【００３８】
なお、図３（Ａ）に示すように、スマートフォン端末１１０Ａの表示部に、ステータスのボタンを表示する構成としたが、３つ以上のステータスを選択自在に表示すればよく、図３（Ｂ）に示すように、所謂、プルダウン式でステータスを選択自在に表示する構成でもよい。
この場合、プルダウン式で１つのステータスを選択してから変更ボタンをタップして決定されるように構成してもよい。
【００３９】
ステップＳ２では、ステータス変更ステップとして、サーバ１２０Ａの制御部が、スマートフォン端末１１０Ａからの入力に基づいてサーバ１２０Ａの記憶部にアクセスする。
ステップＳ３では、ステータス変更ステップとして、サーバ１２０Ａの制御部が、スマートフォン端末１１０Ａからの入力に基づいてステータスを変更する。
言い換えると、記憶部において現在のステータスを変更して保存する。
つまり、記憶部における現在のステータスを書き換える。
なお、センサー端末およびタブレット端末１２０Ｂを用いた構成については、スマートフォン端末１１０Ａおよびサーバ１２０Ａを用いた構成と同様であるため、詳しい説明を省略する。
【００４０】
また、図４（Ａ）に示すように、ユーザー端末とは別体の表示端末の一例としてのスマートフォン端末１３０Ａが、サーバ１２０Ａと通信自在に設けられ、ステータス内容を表示するように構成されている。
これにより、常にステータス内容が表示端末の一例であるスマートフォン端末１３０Ａにおいて表示される。
その結果、他のユーザーは、ステータス内容をより簡単に確認することができる。
【００４１】
なお、図４（Ｂ）に示すように、表示端末の一例として大型の液晶パネル端末１３０Ｂを用いてもよい。
言い換えると、ユーザー端末とは別体の表示端末の一例としての液晶パネル端末１３０Ｂが、サーバ１２０Ａと通信自在に設けられ、ステータス内容を表示するように構成してもよい。
これにより、常にステータス内容が表示端末の一例である液晶パネル端末１３０Ｂにおいて表示される。
その結果、ユーザーは、自身のスマートフォン端末１１０Ａを用いることなくステータス内容をより簡単に確認することができる。
【００４２】
また、前述したように、ユーザー端末に代えて、センサー端末を用いてもよい。
センサー端末の一例であるボタンセンサー端末１１０Ｂを用いる場合は、３つ以上の押し方に応じて３つ以上のステータスの中から１つのステータスを選択するように構成すればよい。
つまり、ステータス内容が、ボタンセンサー端末１１０Ｂのボタンの押し方の違いによって選択される構成である。
これにより、ボタンの押し方の違いに基づいてステータス内容が選択される。
その結果、ユーザーは１回押し、２回押し、長押しなどの違いによって簡単にステータス内容を選択することができる。
【００４３】
図５（Ａ）および図５（Ｂ）に示すように、センサー端末の一例である動きセンサー端末１１０Ｃを用いる場合は、動きセンサー端末１１０Ｃの背面（底面）をテーブルなどの載置面と接触させた状態で置いてある動きセンサー端末１１０Ｃの姿勢を、動きセンサー端末１１０Ｃの側面を接地面と接触させた状態の姿勢に変えたり、動きセンサー端末１１０Ｃの正面（上面）を載置面と接触させた状態の姿勢に変えたりして、３つ以上の姿勢に応じて３つ以上のステータスの中から１つのステータスを選択するように構成すればよい。
つまり、ステータス内容が、動きセンサー端末１１０Ｃの向きについての変更前に対する置き方の違いによって選択される構成である。
これにより、動きセンサー端末１１０Ｃの置き方を変更すると変更前後の置き方の違いに基づいてステータス内容が選択される。
その結果、ユーザーは簡単にステータス内容を選択することができる。
【００４４】
続いて、ステータス管理システム１００において、所定事項の下位概念が、一例として作業タスクである場合について説明する。
図６に示すように、ステータス管理システム１００の所定事項が、作業タスクである場合、より具体的には、清掃作業である場合、ユーザーのスマートフォン端末１１０Ａには、清掃状況更新の画面が表示される。
ユーザーは、スマートフォン端末１１０Ａにおいて、例えば、担当する清掃場所として別館２Ｆフロアを選択する。
すると、２Ｆ別館についてのステータス変更画面がスマートフォン端末１１０Ａに表示され、このステータス変更画面には、一例として、「開始」の旨のボタン、「２０％」の旨のボタン、「５０％」の旨のボタン、「８０％」の旨のボタン、「完了」の旨のボタン、「確認」の旨のボタンの６つのステータスについてのボタンが表示されている。
【００４５】
清掃開始時に、ユーザーは、「開始」の旨のボタンをタップする。
すると、別館２Ｆフロアの清掃について「開始」の旨の情報が、スマートフォン端末１１０Ａからサーバ１２０Ａへ送信される。
そして、サーバ１２０Ａの制御部が、記憶部にアクセスして別館２Ｆフロアの清掃のステータスについて「開始」にする。
しばらくして、ユーザーは、清掃機器ＣＬを用いた別館２Ｆフロアの清掃作業の進捗具合に合わせて、「２０％」の旨のボタンをタップすると、サーバ１２０Ａの制御部が、別館２Ｆフロアの清掃のステータスを「２０％」の旨に変更する。
【００４６】
同様に、ユーザーが、「５０％」の旨のボタンをタップすると、サーバ１２０Ａの制御部が、別館２Ｆフロアの清掃のステータスを「５０％」の旨に変更する。
清掃作業全体の監督者が表示端末の一例であるスマートフォン端末１３０Ａを用いてサーバ１２０Ａにアクセスすると、スマートフォン端末１３０Ａには、清掃作業について場所別の進捗ステータスが表示される。
これにより、監督者は、清掃作業場所の箇所毎の進捗具合について把握することができる。
【００４７】
なお、サーバ１２０Ａの制御部が、時計機能に基づいて、ステータス変更が行われたときからの経過時間情報を把握するように構成されている。
そして、表示端末の一例であるスマートフォン端末１３０Ａが表示するステータスには、ステータスが変更されたときからの経過時間も表示されるように構成されている。
これにより、ステータスが長時間変更されていない場合、監督者は、ユーザーに問い合わせをしたり、他のユーザーを呼んで応援に行くように指示するなどの対応をとることができる。
【００４８】
さらに、ステータス変更した際、サーバ１２０Ａまたはタブレット端末１２０Ｂの制御部が、予め設定された連絡先へステータスが変更された旨および新しいステータスを電子メールやチャットアプリケーションソフトウェアで送信するように構成してもよい。
これにより、予め設定された連絡先のユーザーの端末は、ステータス変更の旨の通知を受信する。
その結果、予め設定された連絡先のユーザーは、通知に気づいて、ステータスが変更された旨を知ることができる。
また、サーバ１２０Ａの記憶部には、一例としてＣＳＶ形式のファイルで各所定事項についてのステータスが記憶されている。
これにより、システム管理者は利用ログを取得することができる。
【００４９】
このようにして得られた本発明の第１実施例であるステータス管理システム１００は、ユーザー端末の一例であるスマートフォン端末１１０Ａまたはセンサー端末であるボタンセンサー端末１１０Ｂや動きセンサー端末１１０Ｃと通信自在なサーバ１２０Ａまたは制御端末の一例であるタブレット端末１２０Ｂの制御部と、サーバ１２０Ａまたはタブレット端末１２０Ｂの記憶部とを有し、制御部が、スマートフォン端末１１０Ａ、ボタンセンサー端末１１０Ｂまたは動きセンサー端末１１０Ｃからの入力に基づいて記憶部にアクセスして所定事項について３つ以上設定されているステータスから選択してステータス内容を変更する構成であることにより、ユーザーはスマートフォン端末１１０Ａ、ボタンセンサー端末１１０Ｂまたは動きセンサー端末１１０Ｃを操作して入力するだけで３つ以上設定されたステータスを選択してステータス内容を簡単に変更することができ、ユーザーはステータス内容をリアルタイムで簡単に確認することができ、電話、電子メール、チャットアプリで確認する場合と比べて、ステータス内容を簡単に確認することができる。
【００５０】
さらに、所定事項が作業タスクについてであり、ステータス内容が作業タスクについての作業名、進捗具合の程度または作業場所の箇所に応じて３つ以上設定された構成であることにより、上司や同僚など他のユーザーがステータス内容を確認して作業タスクの進捗具合を簡単に知ることができる。
【００５１】
また、ユーザー端末としてのスマートフォン端末１１０Ａ、サーバ１２０Ａまたはタブレット端末１２０Ｂと別体である表示端末の一例であるスマートフォン端末１３０Ａや液晶パネル端末１３０Ｂが、サーバ１２０Ａまたはタブレット端末１２０Ｂと通信自在であり、ステータス内容を表示する構成であることにより、ユーザーや他のユーザーは、自身のスマートフォン端末１１０Ａを用いることなくステータス内容をより簡単に確認することができる。
【００５２】
また、ステータス内容が、センサー端末（ボタンセンサー端末１１０Ｂ、動きセンサー端末１１０Ｃ）による入力の仕方の違いによって選択される構成であることにより、ユーザーは簡単にステータス内容を選択することができる。
さらに、センサー端末が、ボタンセンサー端末１１０Ｂであり、ステータス内容が、ボタンの押し方の違いによって選択される構成であることにより、ユーザーは１回押し、２回押し、長押しなどの違いによって簡単にステータス内容を選択することができる。
また、センサー端末が、加速度センサーまたはジャイロセンサーを有して動きを検知する動きセンサー端末１１０Ｃであり、ステータス内容が、動きセンサー端末１１０Ｃの向きについての変更前に対する置き方の違いによって選択される構成であることにより、ユーザーは簡単にステータス内容を選択することができる。
【００５３】
また、本発明の第１実施例であるステータス管理システム１００のプログラムは、ユーザー端末の一例であるスマートフォン端末１１０Ａまたはセンサー端末（ボタンセンサー端末１１０Ｂ、動きセンサー端末１１０Ｃ）からの入力の有無を判定する判定ステップＳ１と、スマートフォン端末１１０Ａまたはセンサー端末（ボタンセンサー端末１１０Ｂ、動きセンサー端末１１０Ｃ）からの入力に基づいてサーバ１２０Ａまたは制御端末の一例であるタブレット端末１２０Ｂの記憶部にアクセスして所定事項について３つ以上設定されているステータス内容を変更するステータス変更ステップＳ２、Ｓ３とをコンピュータに実行させることにより、ユーザーはスマートフォン端末１１０Ａまたはセンサー端末（ボタンセンサー端末１１０Ｂ、動きセンサー端末１１０Ｃ）を操作して入力するだけで３つ以上設定されたステータスを選択してステータス内容を簡単に変更することができ、ユーザーはステータス内容をリアルタイムで簡単に確認することができ、電話、電子メール、チャットアプリで確認する場合と比べて、ステータス内容を簡単に確認することができるなど、その効果は甚大である。
【実施例２】
【００５４】
続いて、本発明の第２実施例であるステータス管理システム１００について、図７に基づいて説明する。
ここで、図７は、本発明の第２実施例であるステータス管理システム１００を示す概念図である。
第２実施例のステータス管理システム１００は、第１実施例のステータス管理システム１００の所定事項を物品の在庫についての内容に変更したものであり、多くの要素について第１実施例のステータス管理システム１００と共通するので、共通する事項については詳しい説明を省略する。
【００５５】
図７に示すように、ステータス管理システム１００は、ユーザー端末の一例であるスマートフォン端末１１０Ａと通信自在なサーバ１２０Ａの制御部と、サーバ１２０Ａまたは制御端末の記憶部とを有している。
さらに、制御部が、スマートフォン端末１１０Ａからの入力に基づいて記憶部にアクセスして所定事項について３つ以上設定されているステータスから選択してステータス内容を変更する構成である。
そして、所定事項が物品の在庫についてであり、ステータス内容が物品の在庫についての在庫あり、在庫なし、および発注中の少なくとも３つ設定された構成である。
【００５６】
また、ユーザーのスマートフォン端末１１０Ａには、在庫状況更新の画面が表示される。
ユーザーは、スマートフォン端末１１０Ａにおいて、例えば、担当する商品として商品Ａを選択する。
すると、商品Ａについてのステータス変更画面がスマートフォン端末１１０Ａに表示され、このステータス変更画面には、一例として、「在庫あり」の旨のボタン、「発注中」の旨のボタン、「在庫なし」の旨のボタンの３つのステータスについてのボタンが表示されている。
【００５７】
ユーザーが、商品棚や倉庫へ行き、商品Ａの包装箱ＢＸの数を数えて在庫確認をする。
この際、スマートフォン端末１１０Ａをサーバ１２０Ａと通信させて、スマートフォン端末１１０Ａに在庫状況一覧を表示させる。
そして、商品Ａについてのステータスと、実際の状況とが合っているかを確認する。
商品Ａの実際の在庫数が、発注基準となる所定数未満であり、ステータスが「在庫あり」の旨になっている場合、ユーザーは、商品Ａを発注先へ発注して、ステータス変更画面の「発注中」の旨のボタンをタップする。
すると、商品Ａについて「発注中」の旨の情報が、スマートフォン端末１１０Ａからサーバ１２０Ａへ送信される。
そして、サーバ１２０Ａの制御部が、記憶部にアクセスして商品Ａのステータスについて「発注中」にする。
【００５８】
営業業務の同僚、販売業務の同僚、仕入れ業務の同僚や上司が表示端末の一例であるスマートフォン端末１３０Ａを用いてサーバ１２０Ａにアクセスすると、スマートフォン端末１３０Ａには、商品在庫について商品別の在庫状況ステータスが表示される。
これにより、営業業務の同僚、販売業務の同僚、仕入れ業務の同僚や上司は、商品在庫の商品毎の在庫状況について把握することができる。
例えば、上司が、商品Ａのステータスを視て、「商品Ａについて、もう発注が済んでいるね！」と発注済みであることを把握することができる。
また、ステータスが「発注中」の旨である場合、重複して発注してしまうことを回避することができる。
なお、サーバ１２０Ａの制御部が、時計機能に基づいて、ステータス変更が行われたときからの経過時間情報を把握するように構成されている。
【００５９】
このようにして得られた本発明の第２実施例であるステータス管理システム１００において、所定事項が物品の在庫についてであり、ステータス内容が物品の在庫についての在庫あり、在庫なし、および発注中の少なくとも３つ設定された構成であることにより、ユーザーは物品の在庫のステータス内容について簡単に知ることができるなど、その効果は甚大である。
【実施例３】
【００６０】
続いて、本発明の第３実施例であるステータス管理システム１００について、図８に基づいて説明する。
ここで、図８は、本発明の第３実施例であるステータス管理システム１００を示す概念図である。
第３実施例のステータス管理システム１００は、第１実施例や第２実施例のステータス管理システム１００の所定事項を機器管理についての内容に変更したものであり、多くの要素について第１実施例や第２実施例のステータス管理システム１００と共通するので、共通する事項については詳しい説明を省略する。
【００６１】
図８に示すように、ステータス管理システム１００は、ユーザー端末の一例であるスマートフォン端末１１０Ａと通信自在なサーバ１２０Ａの制御部と、サーバ１２０Ａまたは制御端末の記憶部とを有している。
さらに、制御部が、スマートフォン端末１１０Ａからの入力に基づいて記憶部にアクセスして所定事項について３つ以上設定されているステータスから選択してステータス内容を変更する構成である。
そして、所定事項が機器の管理についてであり、ステータス内容が機器の管理についての待機、貸出中、および返却中の少なくとも３つ設定された構成である。
【００６２】
また、ユーザーのスマートフォン端末１１０Ａには、機器管理状況更新の画面が表示される。
ユーザーは、スマートフォン端末１１０Ａにおいて、例えば、借りたい機器としてプロジェクターＢを選択する。
すると、プロジェクターＢについてのステータス変更画面がスマートフォン端末１１０Ａに表示され、このステータス変更画面には、一例として、「待機」の旨のボタン、「貸出中」の旨のボタン、「返却中」の旨のボタンの３つのステータスについてのボタンが表示されている。
【００６３】
ユーザーが、機器の保管場所である保管庫へ行き、プロジェクターＢを借りるとする。
この際、ユーザーは、ステータス変更画面の「貸出中」の旨のボタンをタップする。
すると、プロジェクターＢについて「貸出中」の旨の情報が、スマートフォン端末１１０Ａからサーバ１２０Ａへ送信される。
そして、サーバ１２０Ａの制御部が、記憶部にアクセスしてプロジェクターＢのステータスについて「貸出中」にする。
【００６４】
しばらくして、会議が終わって、ユーザーが借りていたプロジェクターＢを返却しようとする。
次に借りたい他のユーザーのために、ユーザーは、ステータス変更画面の「返却中」の旨のボタンをタップする。
すると、プロジェクターＢについて「返却中」の旨の情報が、スマートフォン端末１１０Ａからサーバ１２０Ａへ送信される。
そして、サーバ１２０Ａの制御部が、記憶部にアクセスしてプロジェクターＢのステータスについて「返却中」にする。
【００６５】
ユーザーの同僚や上司である他のユーザーが表示端末の一例であるスマートフォン端末１３０Ａを用いてサーバ１２０Ａにアクセスすると、スマートフォン端末１３０Ａには、会社備品について機器別の状況ステータスが表示される。
これにより、ユーザーの同僚や上司である他のユーザーは、会社備品の機器毎の状況について把握することができる。
例えば、上司が、プロジェクターＢのステータスを視て、「プロジェクターＢがもうすぐ返却されるね！  次に使わせてもらおう！」と思い、すぐに借りるために保管庫へ向かい、返却されたプロジェクターＢをすぐに借りることができる。
なお、サーバ１２０Ａの制御部が、時計機能に基づいて、ステータス変更が行われたときからの経過時間情報を把握するように構成されている。
これにより、他のユーザーは、保管庫にいつ頃返却されそうかを予想して保管庫へ機器を取りに行くことができる。
【００６６】
このようにして得られた本発明の第３実施例であるステータス管理システム１００において、所定事項が機器の管理についてであり、ステータス内容が機器の管理についての待機、貸出中、および返却中の少なくとも３つ設定された構成であることにより、ユーザーは機器の管理のステータス内容について簡単に知ることができるなど、その効果は甚大である。
【実施例４】
【００６７】
続いて、本発明の第４実施例であるステータス管理システム１００について、図９に基づいて説明する。
ここで、図９は、本発明の第４実施例であるステータス管理システム１００を示す概念図である。
第４実施例のステータス管理システム１００は、第１実施例〜第３実施例のステータス管理システム１００の所定事項を在席管理についての内容に変更したものであり、多くの要素について第１実施例〜第３実施例のステータス管理システム１００と共通するので、共通する事項については詳しい説明を省略する。
【００６８】
図９に示すように、ステータス管理システム１００は、ユーザー端末の一例であるスマートフォン端末１１０Ａと通信自在なサーバ１２０Ａの制御部と、サーバ１２０Ａまたは制御端末の記憶部とを有している。
さらに、制御部が、スマートフォン端末１１０Ａからの入力に基づいて記憶部にアクセスして所定事項について３つ以上設定されているステータスから選択してステータス内容を変更する構成である。
そして、所定事項が在席の管理についてであり、ステータス内容が在席の管理についての在席中、社内で離席中、会議中、食事中、外出中および帰宅のうち少なくとも３つ設定された構成である。
【００６９】
また、ユーザーのスマートフォン端末１１０Ａには、在席状況更新の画面が表示される。
ユーザーは、スマートフォン端末１１０Ａにおいて、例えば、在席管理対象者として自分の名前の一例として「鈴木太郎」を選択する、または、自身のＩＤでログインする。
すると、「鈴木太郎」についてのステータス変更画面がスマートフォン端末１１０Ａに表示され、このステータス変更画面には、一例として、「在席」の旨のボタン、「社内離席」の旨のボタン、「会議中」の旨のボタン、「食事中」の旨のボタン、「外出中」の旨のボタン、「帰宅」の旨のボタンの６つのステータスについてのボタンが表示されている。
【００７０】
ユーザーが、例えば、これから営業で外出しようとする。
この際、ユーザーは、ステータス変更画面の「外出中」の旨のボタンをタップする。
すると、「鈴木太郎」について「外出中」の旨の情報が、スマートフォン端末１１０Ａからサーバ１２０Ａへ送信される。
そして、サーバ１２０Ａの制御部が、記憶部にアクセスして「鈴木太郎」のステータスについて「外出中」にする。
【００７１】
ユーザーの同僚や上司である他のユーザーが表示端末の一例であるスマートフォン端末１３０Ａを用いてサーバ１２０Ａにアクセスすると、スマートフォン端末１３０Ａには、従業員全員について従業員毎に在席関連の状況ステータスが表示される。
これにより、ユーザーの同様や上司である他のユーザーは、従業員全員の現在の在席関連状況について把握することができる。
例えば、上司が、「鈴木太郎」についてのステータスを視て、「鈴木さん、外出したか！  帰ってきたら相談するか！」を思い、「鈴木太郎」の席まで行って無駄足になってしまうことを回避し、「鈴木太郎」が会社に戻ってステータスが「在席」に変わったことを確かめてから「鈴木太郎」の席まで行って相談することができる。
なお、サーバ１２０Ａの制御部が、時計機能に基づいて、ステータス変更が行われたときからの経過時間情報を把握するように構成されている。
これにより、他のユーザーは、ユーザーがいつ席に戻りそうかを予想してユーザーに電話連絡したり、ユーザーの席まで行ってユーザーと会ったりすることができる。
【００７２】
このようにして得られた本発明の第４実施例であるステータス管理システム１００において、所定事項が在席の管理についてであり、ステータス内容が在席の管理についての在席中、社内で離席中、会議中、食事中、外出中および帰宅のうち少なくとも３つ設定された構成であることにより、上司や同僚など他のユーザーがステータス内容を確認して部下や同僚の状況を簡単に知ることができるなど、その効果は甚大である。
【符号の説明】
【００７３】
１００  ・・・  ステータス管理システム
１１０Ａ・・・  スマートフォン端末（ユーザー端末）
１２０Ａ・・・  サーバ
１１０Ｂ・・・  ボタンセンサー端末（センサー端末）
１１０Ｃ・・・  動きセンサー端末（センサー端末）
１２０Ｂ・・・  タブレット端末（制御端末）
１３０Ａ・・・  スマートフォン端末（表示端末）
１３０Ｂ・・・  液晶パネル端末（表示端末）
ＣＬ    ・・・  清掃機器
ＢＸ    ・・・  （商品Ａの）包装箱
Ｂ      ・・・  プロジェクターＢ
【図１】
2020009239.tif 000003
【図２】
2020009239.tif 000004
【図３】
2020009239.tif 000005
【図４】
2020009239.tif 000006
【図５】
2020009239.tif 000007
【図６】
2020009239.tif 000008
【図７】
2020009239.tif 000009
【図８】
2020009239.tif 000010
【図９】
2020009239.tif 000011